(57)【要約】【課題】ケーブル自体を巻回するか、又は積み重ねてスタック状にすることが可能で、様々な形態のケーブル整理ができる自体巻回式線状ユニットを提供すること。【解決手段】それぞれストリップ状の中央凸体２、左側凸部３、右側凸部４を含み、左側凸部３と右側凸部４が中央凸体２の左側と右側に、それぞれ中央凸体２の底面２４より突出するよう設置され、左側凸部３と右側凸部４と底面２４との間に収容空間１２が形成され、線状ユニット１の一端の中央凸体２を湾曲して自身の収容空間１２内に嵌入させるか、別の線状ユニットの収容空間１２内に嵌入させ、自体の巻回またはスタック状の積み重ねによりケーブル整理を行う。【選択図】図１
2017098251.tif 000002
【特許請求の範囲】
【請求項１】
ストリップ状の中央凸体と、ストリップ状の左側凸部と、ストリップ状の右側凸部を含み、前記左側凸部と前記右側凸部が前記中央凸体の左側と右側に、それぞれ前記中央凸体の底面より突出するよう設置され、前記左側凸部と前記右側凸部と前記中央凸体の底面との間に収容空間が形成され、
前記線状ユニットの一端の前記中央凸体を湾曲して自身の前記収容空間内に嵌入させるか、別の線状ユニットの収容空間内に嵌入させ、自体の巻回またはスタック状の積み重ねにより複数の形態のケーブル整理効果を達成することを特徴とする、自体巻回式線状ユニット。
【請求項２】
前記線状ユニットが、信号ケーブル、電源ケーブル、ネットワークケーブルまたは光ファイバーケーブルであることを特徴とする、請求項１に記載の自体巻回式線状ユニット。
【請求項３】
前記線状ユニットが内部に被覆された金属導体または非金属導体を含むことを特徴とする、請求項１に記載の自体巻回式線状ユニット。
【請求項４】
前記線状ユニットが絶縁性と可撓性を備えた材質で構成されることを特徴とする、請求項１に記載の自体巻回式線状ユニット。
【発明の詳細な説明】
【技術分野】
【０００１】
本発明は、ケーブル自体を巻回する又はスタック上に積み重ねることができる自体巻回式線状ユニットに関する。
【背景技術】
【０００２】
科学技術の進歩に伴い、電子製品は人々の生活向上に非常に大きな利便性をもたらしている一方で、デジタルカメラやタブレット、スマートフォンなどの電子製品に対する人々の依存度も高まっている。
人々は外出するときに頻繁にこれら電子製品を持ち運び、随時使用できるようにしているが、データ伝送または充電の際に、これら電子製品は例えばＵＳＢケーブルやイヤホンケーブルなどの多くのケーブル材を必要とする。一般にケーブル材を収納する方法は、直接ケーブル材を何度も折り曲げて袋に入れたり、別途輪ゴムなどの拘束材を利用してケーブル材を束ねたりしている。
【０００３】
例えば、特許文献１号には、使用者がケーブル材を独立した状態で収納でき、従来の絡まりやすいという問題が発生しないケーブル材収納装置が開示されている。このケーブル材収納装置は、本体、収容区域、嵌合溝、突起部を含む。本体外側辺縁に溝部が設けられ、前記溝部は前記本体を一周している。前記収容区域は前記本体内側に設置され、かつ前記収容区域の辺縁に通口が設置され、前記通口が前記溝部と前記収容区域を連接している。前記嵌合溝は前記本体の一側に設置される。前記突起部は前記本体の別の一側に設置される。ケーブル材の一端が前記収容区域内に配置され、前記通口を通じて前記溝部へと進入され、前記溝部に沿って巻回される。この発明によりケーブル材を収納すると、各ケーブル材が他の物品と絡み合う状況が発生せず、かつ携帯と収納に便利であるという利点を備えている。
【０００４】
また、特許文献２にはモバイルバッテリーとＵＳＢケーブルが開示されている。これは、１つの角部にＵＳＢケーブルを連接するための連接部が設けられたモバイルバッテリーと、前端部にＵＳＢプラグを備えたＵＳＢケーブルを含み、前記ＵＳＢプラグの後端部に連接装置が連接され、前記連接装置の後端部に線体構造が設けられ、前記線体構造が伸縮可能であり、前記連接装置の大きさが前記連接部より若干大きく、線体構造が引っ張られないとき、前記連接装置がその大きさによって連接部に規制され、前記線体構造が鉄巻尺である。この設計により、別途充電ケーブルを携帯する必要がなく、携帯に便利な効果を備えている。
【０００５】
上述の先行技術はいずれもケーブル材の収納問題を解決することができ、ケーブル材を取り出して使用するとき、ケーブル材が乱雑に絡み、ケーブル整理に時間がかかる状況を回避できる。
しかしながら、収納装置または伸縮手段で収納の目的を達する等の技術は、いずれも使用者に別途ケーブル材を収納するための装置を携帯させることになり、ケーブル材収納の問題を効果的に解決できるものの、別途収納装置を携帯しなければならない負担を使用者に課すものであり、改良の必要がある。
【先行技術文献】
【特許文献】
【０００６】
【特許文献１】台湾特許第Ｍ５０５４８９号明細書
【特許文献２】台湾特許第Ｍ５０５１１６号明細書
【発明の概要】
【発明が解決しようとする課題】
【０００７】
本発明が解決しようとする課題は、ケーブル自体を巻回するか、又は積み重ねてスタック上にとすることが可能で、使用者がアイデアを発揮して様々な形態のケーブル整理ができる自体巻回式線状ユニットを提供することにある。
【課題を解決するための手段】
【０００８】
本発明の自体巻回式線状ユニットは、ストリップ状の中央凸体と、ストリップ状の左側凸部と、ストリップ状の右側凸部を含み、前記左側凸部と前記右側凸部が前記中央凸体の左側と右側に、それぞれ前記中央凸体の底面より突出するよう設置され、前記左側凸部と前記右側凸部と前記中央凸体の底面との間に収容空間が形成され、前記線状ユニットの一端の前記中央凸体を湾曲して自身の前記収容空間内に嵌入させるか、別の線状ユニットの収容空間内に嵌入させ、自体の巻回またはスタック状の積み重ねにより複数の形態のケーブル整理効果を達成する。
【０００９】
前記線状ユニットが、信号ケーブル、電源ケーブル、ネットワークケーブルまたは光ファイバーケーブルであってもよい。
前記線状ユニットが内部に被覆された金属導体または非金属導体を含むことがある。
前記線状ユニットが絶縁性と可撓性を備えた材質で構成されることが望ましい。
【発明の効果】
【００１０】
本発明によれば、携帯方法、収納空間の広さ等に応じて、巻回するかまたはスタック状に積み重ねてケーブル整理を行うことができる。
【図面の簡単な説明】
【００１１】
【図１】本発明の実施例を示す自体巻回式線状ユニットの斜視図である。
【図２】本発明の実施例を示す自体巻回式線状ユニットの複数を積み重ねてスタック状とした状態における斜視図である。
【図３】本発明の他の実施例を示す自体巻回式線状ユニットの断面図である。
【図４】本発明の他の実施例を示す自体巻回式線状ユニットの積み重ねた状態における断面図である。
【図５】本発明の実施例を示す自体巻回式線状ユニットの巻回した状態における斜視図である。
【図６】本発明の実施例を示す自体巻回式線状ユニットの積み重ねた状態における斜視図である。
【発明を実施するための形態】
【００１２】
以下、本発明の実施例を図面に基づいて詳細に説明する。
図１は自体巻回式線状ユニットの斜視図、図２は複数の自体巻回式線状ユニットを積み重ねてスタック状とした状態における斜視図、図５は自体巻回式線状ユニットを巻回した状態の斜視図、図６は複数の自体巻回式線状ユニットを積み重ねた状態の斜視図である。
図１に示すように、本発明の自体巻回式線状ユニット１は、外部が絶縁性で可撓性を備えた材質で構成される。ストリップ状の線状ユニット１は、一般的な信号ケーブル、電源ケーブル、ネットワークケーブルまたは光ファイバーケーブル等であり、線状ユニット１の内部に、実際の用途に応じて、被覆された金属導体（例：銅線）または非金属導体（例：ガラス繊維等）を含む。
【００１３】
線状ユニット１は主に、ストリップ状の中央凸体２、ストリップ状の左側凸部３、ストリップ状の右側凸部４を含む。
左側凸部３と右側凸部４が中央凸体２の左側と右側に、それぞれ中央凸体２の底面２４より下方へ突出するよう設置され（図１参照）、かつ左側凸部３と右側凸部４と中央凸体２の底面２４とで囲まれる収容空間１２が形成される。収容空間１２の幅は中央凸体２の幅に同じであり（図２参照）、線状ユニット１の中央凸体２と自身の収容空間１２を相互に結合（図５参照）すると、自体巻回によるケーブル整理効果が達成される。あるいは、線状ユニット１の中央凸体２を別の線状ユニット１’の収容空間１２に結合して一体とすると（図６参照）、積み重ねてスタック状としたケーブル整理の形態とすることができる。
【００１４】
図３と図４は、本発明の他の実施例を示す。図３は、他の実施例を示す自体巻回式線状ユニットの断面図であり、図４は、他の実施例を示す自体巻回式線状ユニットの組立状態における断面図である。
線状ユニット１の自体巻回によるケーブル整理、または別の線状ユニット１’と積み重ねてスタック状としたケーブル整理のどちらの形態でも、いずれも中央凸体２とそれに対応する収容空間１２の相互の表面により生じる摩擦力を利用してしっかりと一体として結合され、分離してしまうことがない。
線状ユニット１自体の重量が重すぎる、または長さが長すぎる場合、中央凸体２とそれに対応する収容空間１２の表面に生じる摩擦力の不足を回避するため、中央凸体２とそれに対応する収容空間１２の表面に、１つまたは複数の凸状線５１とそれに対応する凹状線５２をそれぞれ設け、凸状線５１と凹状線５２を互いに係合することにより、相互間の摩擦力を増加することができる。凸状線５１とそれに対応する凹状線５２の形状は限定されておらず、相互に対応していればよい。
【００１５】
図５に示すように、本発明のストリップ状の線状ユニット１はそれ自体を巻回して収納される。ストリップ状の線状ユニット１のうち一端をらせん状の中心として巻回を開始し、左側凸部３と右側凸部４はいずれも底面２４から凸出され、両者間の間隙に収容空間１２が形成されており、この収容空間１２を利用してらせん状に巻回すると同時に（図５参照）、中央凸体２の上面２３を順に収容空間１２内に嵌入して、ケーブル整理の目的を達する。
【００１６】
図６に示すように、本発明のストリップ状の線状ユニット１は積み重ねてスタックする方式でケーブル整理を行うことができる。この場合、左側凸部３と右側凸部４はいずれも底面２４から凸出され、両者間の間隙に収容空間１２が形成されており、収容空間１２の設置を利用し、下層の線状ユニット１の中央凸体２の上面２３を上層の線状ユニット１’の収容空間１２内に嵌入して、スタック状にケーブル整理する。
【００１７】
以上は本発明の実施例の説明であり、これによって本発明の権利範囲が限定されることはなく、特許請求の範囲を逸脱しない簡単な修飾及び構造変化はいずれも本発明の権利範囲内に含まれる。
【符号の説明】
【００１８】
１        線状ユニット
１’      線状ユニット
１２      収容空間
２        中央凸体
２３      上面
２４      底面
３        左側凸部
４        右側凸部
５１      凸状線
５２      凹状線
【図１】
2017098251.tif 000003
【図２】
2017098251.tif 000004
【図３】
2017098251.tif 000005
【図４】
2017098251.tif 000006
【図５】
2017098251.tif 000007
【図６】
2017098251.tif 000008